(57)【要約】【課題】ガラス製の天板主体７とこれを囲う外枠８とで構成されるドロップイン式コンロ用の天板４において、カウンタトップ１にドロップイン式コンロを２台並設したときに、両コンロの天板４，４の視覚的一体感を得られるようにする。【解決手段】外枠８を構成する左右の側枠材８１の天板主体７からの張出し部１ａの幅を狭くすると共に、張り出し部を天板主体７と同一色に着色する。前枠８２のスカート部８２ａと、外枠の後部のフード１２とを天板主体７とは異なる色にする。隣接する両天板４，４のこれらスカート部８２ａ及びフード１２の横方向への連続性が視覚的に強く印象付けされ、両天板４，４が横方向に一体的に連続しているとの視覚的な錯覚効果が得られる。【選択図】  図１
2004353997.tif 000002
【特許請求の範囲】
【請求項１】
コンロ本体をカウンタトップに開設したコンロ開口に落とし込むようにして配置するドロップイン式コンロ用の天板であって、天板主体と天板主体を囲う額縁状の外枠とから成り、外枠を、左右一対の側枠材と、両側枠材の前端部間に跨る前枠材と、両側枠材の後端部間に跨る後枠材とで構成するものにおいて、
前枠材の前縁部に、前方にのびるスカート部を形成すると共に、各側枠材の外側縁部に、板幅方向を上下方に沿わせた薄板状の起立板部を形成し、
更に、各側枠材の起立板部の少なくとも上縁の色を天板主体の上面と同一の色にすると共に、前枠材の少なくともスカート部の表面の色を天板主体の上面とは異なる色にすることを特徴とするドロップイン式コンロ用天板。
【請求項２】
前記各側枠材の起立板部の前端部を前記前枠材のスカート部の裏面に入り込ませることを特徴とする請求項１に記載のドロップイン式コンロ用天板。
【請求項３】
前記後枠材の後縁部に、後方にのびるスカート部を形成し、前記各側枠材部の起立板部の後端部を後枠材のスカート部の裏面に入り込ませると共に、後枠材の少なくともスカート部の表面の色を天板主体の上面とは異なる色にすることを特徴とする請求項２に記載のドロップイン式コンロ用天板。
【請求項４】
前記後枠材を天板主体の後方に離隔させて配置し、前記両側枠材間に天板主体の後縁に沿わせて仕切枠材を配置して、仕切枠材と後枠材との間に、コンロ本体内に連通する通気口を画成し、仕切枠材側から通気口を覆うようにして後上方にのびるフードを設けると共に、フードの表面の色を天板主体の上面とは異なる色にすることを特徴とする請求項１〜３の何れか１項に記載のドロップイン式コンロ用天板。
【請求項５】
コンロ本体をカウンタトップに開設したコンロ開口に落とし込むようにして配置するドロップイン式コンロ用の天板であって、天板主体と天板主体を囲う額縁状の外枠とから成り、外枠を、左右一対の側枠材と、両側枠材の前端部間に跨る前枠材と、両側枠材の後端部間に跨る後枠材とで構成するものにおいて、
後枠材を天板主体の後方に離隔させて配置し、両側枠材間に天板主体の後縁に沿わせて仕切枠材を配置して、仕切枠材と後枠材との間に、コンロ本体内に連通する通気口を画成し、仕切枠材側から通気口を覆うようにして後上方にのびるフードを設けると共に、各側枠材の外側縁部に、板幅方向を上下方に沿わせた薄板状の起立板部を形成し、
更に、各側枠材の起立板部の少なくとも上縁の色を天板主体の上面と同一の色にすると共に、フードの表面の色を天板主体の上面とは異なる色にすることを特徴とするドロップイン式コンロ用天板。
【請求項６】
コンロ本体をカウンタトップに開設したコンロ開口に落とし込むようにして配置するドロップイン式コンロ用の天板であって、１枚の金属製平板で構成されるものにおいて、
天板の上面の前部と後部との少なくとも一方に、天板の他部とは異なる視覚的な印象を与える模様を横方向に帯状に連続するように付した模様形成部を設けることを特徴とするドロップイン式コンロ用天板。
【請求項７】
天板を構成する前記平板の後部を折り起こすことによりコンロ本体内に連通する通気口を設けると共に、折り起こされた平板の後部により通気口の前縁から通気口を覆うようにして後上方にのびるフードを構成し、このフードの表面に前記模様を付して、フードを前記模様形成部に構成することを特徴とする請求項６に記載のドロップイン式コンロ用天板。
【発明の詳細な説明】
【０００１】
【発明の属する技術分野】
本発明は、コンロ本体をカウンタトップに開設したコンロ開口に落とし込むようにして配置するドロップイン式コンロ用の天板に関する。
【０００２】
【従来の技術】
従来、天板の主要部分（天板主体）を化粧耐熱ガラスや化粧琺瑯板等の装飾性の高い板で構成するドロップイン式コンロ用の天板は知られている。このような天板では、天板主体の周縁部を保護するため、天板主体を囲う額縁状の外枠を設けて、カウンタトップに天板を外枠において着座させている（例えば、特許文献１参照。）。
【０００３】
外枠は、左右一対の側枠材と、両側枠材の前端部間に跨る前枠材と、両側枠材の後端部間に跨る後枠材とで構成される。そして、側枠材と前枠材と後枠材とは、共に、カウンタトップに着座する外側のスカート部と、スカート部の内縁部から下方にのびる垂下壁部と、垂下壁部の下縁から内方に張り出す天板主体の受け部とを有する形状に形成されている。
【０００４】
また、最近は、外枠を省略してコストダウンを図るため、一枚の金属製（アルミニウム等）の平板で天板を構成することも試みられている。
【０００５】
ところで、システムキッチンにおいて、各独立したドロップイン式コンロをユーザの要望に応じて複数組み合わせて並設するようにしたものも知られている（例えば、特許文献２参照。）。
【０００６】
このようにドロップイン式コンロを複数並設する場合、視覚的に各コンロの天板が一体的に連続しているような感じを与えられれば、商品性が向上する。然し、上記従来例の天板では、外枠の側枠材にも前後の枠と同様にスカート部を形成しているため、隣接する一方のコンロの天板の天板主体と他方のコンロの天板の天板主体との間に両天板の側枠材のスカート部が幅広く存在することになり、各天板が個々独立して存在する印象を与え易く、両天板の視覚的一体感は得られない。
【０００７】
【特許文献１】
特開２００１−１９３９４６号公報（段落０００４、図１、図２）
【特許文献２】
実開昭５８−８９７０８号公報（第２図、第３図）
【０００８】
【発明が解決しようとする課題】
本発明は、以上の点に鑑み、複数のドロップイン式コンロを並設した状態で天板の視覚的一体感を得られるようにしたドロップイン式コンロ用天板を提供することをその課題としている。
【０００９】
【課題を解決するための手段】
上記課題を解決するために、本発明は、コンロ本体をカウンタトップに開設したコンロ開口に落とし込むようにして配置するドロップイン式コンロ用の天板であって、天板主体と天板主体を囲う額縁状の外枠とから成り、外枠を、左右一対の側枠材と、両側枠材の前端部間に跨る前枠材と、両側枠材の後端部間に跨る後枠材とで構成するものにおいて、前枠材の前縁部に、前方にのびるスカート部を形成すると共に、各側枠材の外側縁部に、板幅方向を上下方に沿わせた薄板状の起立板部を形成し、更に、各側枠材の起立板部の少なくとも上縁の色を天板主体の上面と同一の色にすると共に、前枠材の少なくともスカート部の表面の色を天板主体の上面とは異なる色にすることを特徴とする。
【００１０】
上記の構成によれば、複数のドロップイン式コンロを並設した場合、隣接する一方のコンロの天板の天板主体と他方のコンロの天板の天板主体との間に両天板の側枠材の起立板部が存在することになるが、起立板部は薄板状であるため、両天板の天板主体間の間隔を狭めることができ、しかも、両天板の天板主体間に露出する起立板部の上縁は天板主体の上面と同一色であるため、一見すると両天板の天板主体が連続しているような感じを受ける。
【００１１】
更に、本発明によれば、目立ち易い箇所である天板の前部において、前枠材のスカート部が天板主体の上面とは異なる色で横方向に帯状に延在することになる。そのため、隣接する両天板の前枠材のスカート部の横方向への連続性が視覚的に強く印象付けされ、両天板が横方向に一体的に連続していると視覚的に錯覚させる因子としてスカート部が有効に機能する。かくして、両天板の視覚的一体感を得ることができ、複数のドロップイン式コンロを並設する場合の商品性の向上を図れる。
【００１２】
特に、各側枠材の起立板部の前端部を前枠材のスカート部の裏面に入り込ませれば、隣接する両天板の前枠材のスカート部同士を中間に側枠材の起立板部を挟むことなく当接させることができ、スカート部による両天板の一体感の印象付け効果をより高めることができる。
【００１３】
また、後枠材の後縁部に、後方にのびるスカート部を形成し、前記各側枠材部の起立板部の後端部を後枠材のスカート部の裏面に入り込ませると共に、後枠材の少なくともスカート部の表面の色を天板主体の上面とは異なる色にすれば、後枠材のスカート部によっても隣接する両天板の一体感を印象付けることができ、有利である。
【００１４】
また、後枠材を天板主体の後方に離隔させて配置し、前記両側枠材間に天板主体の後縁に沿わせて仕切枠材を配置して、仕切枠材と後枠材との間に、コンロ本体内のバーナの燃焼用空気を取入れたり、グリル付きコンロではグリルからの排気を排出するために、コンロ本体内に連通する通気口を画成し、更に、通気口からの煮こぼれ汁等の異物の落下を防止するために、仕切枠材側から通気口を覆うようにして後上方にのびるフードを設けることが考えられる。この場合、フードが目立つように、フードの表面の色を天板主体の上面とは異なる色にすれば、フードによっても隣接する両天板の一体感を印象付けることができる。
【００１５】
更に、上記の如く仕切枠材側から後上方にのびるフードを設ける場合、フードが目に付き易いため、フードの表面の色を天板主体の上面と異なる色にすれば、仮に前枠材や後枠材の表面の色を天板主体の上面と同一の色にして、前枠材や後枠材を目立たなくしても、隣接する両天板の一体感をフードだけで印象付けることができる。尚、この場合も、各側枠材の外縁部に上記と同様の起立板部を形成して、起立板部の少なくとも上縁の色を天板主体の上面の色と同一の色にすることにより、隣接する両天板の天板主体が連続しているような感じを得られるようにする。
【００１６】
ところで、外枠を省略してコストダウンを図るため、一枚の金属製（アルミニウム等）の平板で天板を構成することも考えられる。そこで、本発明の他の特徴によれば、このような１枚の金属製平板で構成されるドロップイン式コンロ用天板において、天板の上面の前部と後部との少なくとも一方に、天板の他部とは異なる視覚的な印象を与える模様を横方向に帯状に連続するように付した模様形成部を設けている。
【００１７】
これによれば、隣接する両天板の模様形成部の横方向への連続性が視覚的に強く印象付けされ、両天板が横方向に一体的に連続していると視覚的に錯覚させる因子として模様形成部が有効に機能する。かくして、両天板の視覚的一体感を得ることができ、複数のドロップイン式コンロを並設する場合の商品性の向上を図れる。
【００１８】
また、天板を構成する前記平板の後部を折り起こすことによりコンロ本体内に連通する通気口を設けると共に、折り起こされた平板の後部により通気口の前縁から通気口を覆うようにして後上方にのびるフードを構成する場合、フードは元々目立つから、フードの表面に上記模様を付して、フードを模様形成部に構成すれば、隣接する両天板の一体感を効果的に印象付けることができる。
【００１９】
【発明の実施の形態】
図１は、システムキッチンのカウンタトップ１に２台のドロップイン式コンロ２，２を並設した状態を示している。各コンロ２は、図２に示す如く、カウンタトップ１に開設したコンロ開口１ａに落とし込まれるコンロ本体３と、コンロ本体３の上面を覆うようにしてカウンタトップ１上に載置される天板４とを備えている。
【００２０】
コンロ本体３は、その周壁部３ａの上縁に形成したフランジ部３ｂにおいてコンロ開口１ａの開口縁部に吊持されている。尚、フランジ部３ｂにはシール部材３ｃが装着されている。また、コンロ本体３内には、熱源としてのバーナ５と、天板４上に設けた操作摘み６ａで操作されるバーナ５用のコック６とが配置されている。尚、図示のバーナ５は、環状のバーナ本体５ａから径方向内方にのびる炎孔５ｂを有する内炎式バーナであり、バーナ５上には環状の火炎ガイド５ｃが設けられている。また、バーナ５の内径部の下方には汁受け皿５ｄが設けられている。
【００２１】
天板４は、耐熱ガラスから成る天板主体７と、天板主体７を囲う額縁状の外枠８とで構成されている。天板主体７には、バーナ５を臨ませるバーナ開口７ａが開設されている。バーナ開口７ａの開口縁部には、割れ防止のための保護リング７ｂが装着されている。そして、保護リング７ｂ上に環状の五徳受け９ａを載置して、五徳受け９ａにより天板４上に設ける五徳９を支持している。また、五徳９に重量物を載置したときの天板主体７の下方への撓みを抑制するため、コンロ本体３内に、保護リング７ｂの下面に当接する支持部材１０を立設している。
【００２２】
外枠８は、図３に示す如く、前後方向に長手の左右一対の側枠材８１，８１と、両側枠材８１，８１の前端部間に跨る前枠材８２と、両側枠材８１，８１の後端部間に跨る後枠材８３と、後枠材８３の前側で両側枠材８１，８１間に跨る仕切枠材８４とで構成されている。そして、後枠材８３と仕切枠材８４との間にコンロ本体３内に連通する通気口１１を画成し、バーナ５の燃焼用空気を通気口１１から取入れられるようにしている。側枠材８１、前枠材８２、後枠材８３及び仕切枠材８４は、夫々アルミニウムの押出し成形材で形成されている。
【００２３】
前枠材８２は、図２に示す如く、前縁部に、前方にのびてカウンタトップ１に着座するスカート部８２ａを有し、且つ、スカート部８２ａの内縁から下方に垂下する垂下壁部８２ｂと、垂下壁部８２ｂの下縁から内方に水平に張り出す水平板部８２ｃとを有する形状に形成されている。後枠材８３は、後縁部に、後方にのびてカウンタトップ１に着座するスカート部８３ａを有し、且つ、スカート部８３ａの内縁から下方に垂下する垂下壁部８３ｂと、垂下壁部８３ｂの下縁から内方に水平に張り出す水平板部８３ｃとを有する形状に形成されている。仕切枠材８４は、通気口１１を覆うようにして後上方にのびるフード１２と、フード１２の前縁から下方に垂下する垂下壁部８４ａと、垂下壁部８４ａの下縁から内方に水平に張り出す水平板部８４ｂとを有する形状に形成されている。また、側枠材８１は、図４に示す如く、外側縁部に、カウンタトップ１に着座する、板幅方向を上下方向に沿わせた薄板状の起立板部８１ａを有すると共に、起立板部８１ａの板幅方向（上下方向）中間から内方に水平に張り出す水平板部８１ｂを有する形状に形成されている。尚、本実施形態では、起立板部８１ａの板厚（上方から見たときの横方向幅）が約１ｍｍであって、前後の枠材８２，８３のスカート部８２ａ，８３ａの前後方向幅が約２０ｍｍであるのに対し非常に狭くなっている。
【００２４】
外枠８の組み立てに際しては、左右の各側枠材８１の前端部に前枠材８２の左右の各端部を両者の水平板部８１ｂ、８２ｃにおいて蟻継手方式でカシメ結合すると共に、各側枠材８１の後端部に後枠材８３の左右の各端部を両者の水平板部８１ｂ、８３ｃにおいてＬ形金具８５により結合し、最後に、各側枠材８１の後部に仕切枠材８４の左右の各端部を両者の水平板部８１ｂ、８４ｂにおいて蟻継手方式でカシメ結合する。また、各側枠材８１の起立板部８１ａの前後の各端部８１ａ´を前枠材８２と後枠材８３のスカート部８２ａ、８３ａの裏面に入り込ませている。
【００２５】
天板主体７は、左右の側枠材８１，８１と前枠材８２と仕切枠材８４とで構成される方形空間に装着される。即ち、天板主体７の周縁部下面をこれら枠材８１，８２，８４の水平板部８１ｂ，８２ｃ，８４ｂに受けさせた状態で、天板主体７の周囲にシリコンゴム等のコーキング剤７ｃを充填して、天板主体７を固定している。
【００２６】
また、天板主体４の上面は暗色に着色されており、各側枠材８１の少なくとも起立板部８１ａの上縁を天板主体４の上面の色と同一の色に着色している。本実施形態では、側枠材８１の陽極酸化処理に際し、側枠材８１の全面を天板主体４の上面と同一の色に着色している。一方、前枠材８２の少なくともスカート部８２ａの表面、後枠材８３の少なくともスカート部８３ａの表面及び仕切枠材８４の少なくともフード１２の表面の色は、天板主体７の上面の色とは異なる色、例えば、これら枠材８１，８２，８４の地（アルミニウム）の色であるシルバー色にしている。尚、前枠材８２のスカート部８２ａの表面の色と後枠材８３のスカート部８３ａの表面の色とフード１２の表面の色は、天板主体７の上面の色と異なる限り、互いに同色であっても異色であっても良い。
【００２７】
ここで、カウンタトップ１に図１に示すように２台のコンロ２，２を両者の天板４，４同士が接するように並設した場合、両天板４，４の天板主体７，７間に両天板４，４の側枠材８１，８１の起立板部８１ａ，８１ａが存在することになるが、起立板部８１ａは薄板状であるため、両天板４，４の天板主体７，７間の間隔を狭めることができ、しかも、両天板４，４の天板主体７，７間に露出する起立板部８１ａの上縁は天板主体７の上面と同一色であるため、一見すると両天板４，４の天板主体７，７が連続しているような感じを受ける。
【００２８】
また、前後の枠材８２，８３のスカート部８２ａ，８３ａとフード１２とが天板主体７の上面とは異なる色で横方向に帯状に延在することになる。そのため、隣接する両天板４，４のこれらスカート部８２ａ，８３ａ及びフード１２の横方向への連続性が視覚的に強く印象付けされ、両天板４，４が横方向に一体的に連続しているとの視覚的な錯覚効果が得られる。特に、本実施形態のように各側枠材８１の起立板部８１ａの前後の各端部８１ａ´を前後の枠材８２，８３のスカート部８２ａ，８３ａの裏面に入り込ませれば、隣接する両天板４，４の前枠材８２，８２のスカート部８２ａ，８２ａ同士と後枠材８３，８３のスカート部８３ａ，８３ａ同士とが中間に側枠材８１の起立板部８１ａを挟むことなく直に接するようになり、スカート部８２ａ，８３ａによる両天板４，４の一体感の印象付け効果（錯覚効果）をより高めることができる。
【００２９】
また、フード１２による錯覚効果を高めるには、フード１２をその側端部が側枠材８１の起立板部８１ａの上方に張り出すように形成し、隣接する両天板４，４のフード１２，１２同士が直に接するようにすることが望ましい。尚、本実施形態では、フード１２を仕切枠材８４に一体に形成したが、別体のフードを仕切枠材８４の後側に後付けすることも可能である。また、フード１２を設ける場合、後枠材８３のスカート部８３ａが見えにくくなるため、このスカート部８３ａの色は天板主体７の上面の色と特に異ならせなくても良い。更に、前枠材８２のスカート部８２ａも天板主体７の上面と同色とし、隣接する両天板４，４の一体感の錯覚効果をフード１２だけで得ることも可能である。
【００３０】
また、本実施形態では、後枠材８３との間に通気口１１を設けるために仕切枠材８４を設けたが、通気口１１を設けない場合は、仕切枠材８４を省略し、後枠材８３を天板主体７の後縁に沿うように配置する。更に、本実施形態では、天板主体７をガラス製としたが、化粧琺瑯板等のガラス以外の材料で天板主体７を形成しても良い。また、本実施形態では、並設した２台のコンロ２，２を共にバーナ５が１個の一口コンロとしたが、一方を二口コンロとする場合も、その天板を本実施形態と同様に構成して、両コンロの天板の一体感を得ることができる。
【００３１】
図５は第２の実施形態を示している。このものでも、カウンタトップ１に２台のドロップイン式コンロ２，２を並設しており、上記第１実施形態と同様の部材に上記と同一の符号を付している。第１実施形態と相違するのは、各コンロ２の天板４を、１枚の金属製、例えば、アルミニウム製の比較的肉厚（例えば、厚さ６ｍｍ）の平板４１で構成している点である。第２実施形態の天板４（平板４１）の下面の後部を除く周縁部には、図６に示す如く、パッキン４２が取付けられており、カウンタトップ１のコンロ開口１ａの開口縁部に係止されるコンロ本体３のフランジ部３ｂの外側において、天板４をパッキン４２を介してカウンタトップ１に着座させている。
【００３２】
天板４を構成する平板４１の後部は若干肉薄に形成されている。そして、平板４１の後部を折り起こすことにより、コンロ本体３内に連通する通気口１１を形成し、更に、折り起こされた平板４１の後部により通気口１１の前縁から通気口１１を覆うようにして後上方にのびるフード１２を構成している。
【００３３】
また、天板４の上面前部に、天板４の他部とは異なる視覚的な印象を与える模様を横方向に帯状に連続するように付した模様形成部４３を設けると共に、天板４の上面後部たるフード１２の表面にも同様の模様を付して、フード１２も模様形成部４３に構成している。模様形成部４３の模様は、ショットブラスト処理で形成される梨地模様等の表面の凹凸による機械的な模様であっても、また、天板４の上面のフッ素樹脂コーティング等に際して他部とは異なる色に着色することで得られる着色模様であっても良い。
【００３４】
何れにしても、上記の如く模様形成部４３を設けることにより、隣接する両天板４，４の模様形成部４３の横方向への連続性が視覚的に強く印象付けされる。そのため、両天板４，４が横方向に一体的に連続していると視覚的に錯覚させる因子として模様形成部４３が有効に機能し、両天板４，４の視覚的一体感を得ることができる。尚、錯覚効果を高めるには、模様形成部４３を天板４の横方向全幅に亘って帯状に連続するように設けることが望ましい。
【図面の簡単な説明】
【図１】本発明の第１実施形態の天板を備えるドロップイン式コンロを２台並設した状態を示す斜視図。
【図２】図１のＩＩ―ＩＩ線で切断した拡大切断面図。
【図３】第１実施形態の天板の外枠の平面図。
【図４】図１のＩＶ―ＩＶ線で切断した拡大切断面図。
【図５】本発明の第２実施形態の天板を備えるドロップイン式コンロを２台並設した状態を示す平面図。
【図６】図５のＶＩ―ＶＩで切断した中間部省略の拡大切断面図。
【符号の説明】
１…カウンタトップ、１ａ…コンロ開口、２…ドロップイン式コンロ、３…コンロ本体、４…天板、４１…平板、４３…模様形成部、７…天板主体、８…外枠、８１…側枠材、８１ａ…起立板部、８２…前枠材、８２ａ…スカート部、８３…後枠材、８３ａ…スカート部、８４…仕切枠材、１１…通気口、１２…フード
【図１】
2004353997.tif 000003
【図２】
2004353997.tif 000004
【図３】
2004353997.tif 000005
【図４】
2004353997.tif 000006
【図５】
2004353997.tif 000007
【図６】
2004353997.tif 000008